(57)【特許請求の範囲】
【請求項１】
派遣システムであって、
マップ測位装置と、派遣装置と、通信装置とを含み、
前記マップ測位装置は、すべてのジャーナリストの位置を測定するため、各ジャーナリストの位置およびニュース事件発生位置をマーキングするため、および各ジャーナリストが前記ニュース事件発生位置に到達するのに要する最短時間を計算するために使用され、
前記派遣装置は、各ジャーナリストが前記ニュース事件発生位置に到達するのに要する最短時間と、各ジャーナリストの状態情報とに基づいて、前記ニュース事件発生位置に到達するのに要する最短時間が、待機状態のジャーナリストの中で最も短いジャーナリストを決定するとともに、派遣任務と前記ニュース事件に関する手掛りとを、前記決定されたジャーナリストの前記通信装置に送信するために使用され、
前記通信装置は、ジャーナリストの状態情報を前記派遣装置にフィードバックするとともに、前記派遣装置が送信した派遣任務とニュース事件に関する手掛りとを受信するために使用されることを特徴とする、派遣システム。
【請求項２】
前記派遣装置は、
派遣要求を一人のジャーナリストの前記通信装置に、各ジャーナリストが前記ニュース事件発生位置に到達するのに要する最短時間が最も短いジャーナリストから最も長いジャーナリストまでの順序で、順次送信するとともに、ジャーナリストの通信装置によってフィードバックされた状態情報に基づいて、前記派遣任務と前記ニュース事件に関する手掛りとを、前記ジャーナリストに送信するか否か決定するために使用され、
ジャーナリストの通信装置によってフィードバックされた状態情報が、前記ジャーナリストが待機状態であることを示す場合、前記派遣任務と前記ニュース事件に関する手掛りとを前記ジャーナリストに送信し、
ジャーナリストの通信装置によってフィードバックされた状態情報が、前記ジャーナリストが多忙状態であることを示す場合、または、前記ジャーナリストの通信装置から状態情報がフィードバックされない場合、前記派遣要求を、前記順序に従って次のジャーナリストの通信装置に、前記ニュース事件発生位置に到達するのに要する最短時間が、待機状態のジャーナリストの中で最も短いジャーナリストが決定されるまで、順次送信するとともに、前記決定されたジャーナリストに、前記派遣任務と前記ニュース事件に関する手掛りとを送信することを特徴とする、請求項１に記載の派遣システム。
【請求項３】
前記マップ測位装置は、測位部と、マップ部と、計算部とを含み、
前記測位部は、すべてのジャーナリストの位置を測定するために使用され、
前記マップ部は、各ジャーナリストの位置およびニュース事件発生位置をマップ上にマーキングするために使用され、
前記計算部は、各ジャーナリストがニュース事件発生位置に到達するのに要する最短時間を計算するために使用されることを特徴とする、請求項１または２に記載の派遣システム。
【請求項４】
ニュース手掛り収集装置をさらに含み、前記ニュース手掛り収集装置は、ニュース事件に関する手掛りを取得するために使用され、前記ニュース事件に関する手掛りは、前記ニュース事件の、タイトルと、内容と、ニュース事件発生位置と、連絡先とを含むことを特徴とする、請求項１または２に記載の派遣システム。
【請求項５】
表示装置をさらに含み、前記表示装置は、前記マップ測位装置および／または前記派遣装置から前記表示装置に送信された出力結果を表示するために使用されることを特徴とする、請求項１または２に記載の派遣システム。
【請求項６】
前記マップ測位装置から前記表示装置に送信された前記出力結果は、各ジャーナリストの位置と、ニュース事件発生位置と、各ジャーナリストが前記ニュース事件発生位置に到達するのに要する最短時間とを含み、
前記派遣装置から前記表示装置に送信された出力結果は、前記派遣任務を受諾したジャーナリストの名前と、前記ジャーナリストの通信装置に送信されたニュース事件に関する手掛りとを含むことを特徴とする、請求項５に記載の派遣システム。
【請求項７】
コンピュータおよび通信装置を備えたシステムを構成するコンピュータによって実行される派遣方法であって、前記方法は、
前記コンピュータが、すべてのジャーナリストの位置を測定し、各ジャーナリストの位置およびニュース事件発生位置をマーキングするステップと、
前記コンピュータが、各ジャーナリストが前記ニュース事件発生位置に到達するのに要する最短時間を計算するステップと、
前記コンピュータが、各ジャーナリストが前記ニュース事件発生位置に到達するのに要する最短時間と、前記通信装置によってフィードバックされた各ジャーナリストの状態情報とに基づいて、待機状態であり前記ニュース事件発生位置に到達するのに要する最短時間が最も短いジャーナリストに、派遣任務と前記ニュース事件に関する手掛りとを送信するステップとを含み、
各ジャーナリストが前記ニュース事件発生位置に到達するのに要する最短時間と、前記通信装置によってフィードバックされた各ジャーナリストの状態情報とに基づいて、待機状態であり前記ニュース事件発生位置に到達するのに要する最短時間が最も短いジャーナリストに、派遣任務と前記ニュース事件に関する手掛りとを送信する前記ステップは、
派遣要求を一人のジャーナリストに、各ジャーナリストが前記ニュース事件発生位置に到達するのに要する最短時間が最も短いジャーナリストから最も長いジャーナリストまでの順序で、順次送信するステップと、
前記通信装置によってフィードバックされたジャーナリストの状態情報に基づいて、前記派遣任務と前記ニュース事件に関する手掛りとを、前記ジャーナリストに送信するか否か決定するステップとを具体的に含み、
前記通信装置によってフィードバックされたジャーナリストの状態情報が、前記ジャーナリストが待機状態であることを示す場合、前記派遣任務と前記ニュース事件に関する手掛りとを前記ジャーナリストに送信し、
前記通信装置によってフィードバックされたジャーナリストの状態情報が、前記ジャーナリストが多忙状態であることを示す場合、または、前記ジャーナリストから状態情報がフィードバックされない場合、前記派遣要求を、前記順序に従って次のジャーナリストに、前記ニュース事件発生位置に到達するのに要する最短時間が、待機状態のジャーナリストの中で最も短いジャーナリストが決定されるまで、順次送信するとともに、前記決定されたジャーナリストに、前記派遣任務と前記ニュース事件に関する手掛りとを送信することを特徴とする、派遣方法。
【請求項８】
前記すべてのジャーナリストの位置を測定するステップの前に、ニュース事件に関する手掛りを取得するステップをさらに含み、前記ニュース事件に関する手掛りは、前記ニュース事件の、タイトルと、内容と、ニュース事件発生位置と、連絡先とを含むことを特徴とする、請求項７に記載の派遣方法。
【請求項９】
各ジャーナリストの位置と、ニュース事件発生位置と、各ジャーナリストが前記ニュース事件発生位置に到達するのに要する最短時間と、前記派遣任務を受諾したジャーナリストの名前と、前記ジャーナリストに送信されたニュース事件に関する手掛りとを表示するステップをさらに含むことを特徴とする、請求項７または８に記載の派遣方法。
【請求項１０】
コンピュータおよび通信装置を備えたシステムを構成するコンピュータによって実行されるプログラムであって、前記プログラムは、
前記コンピュータに、すべてのジャーナリストの位置を測定し、各ジャーナリストの位置およびニュース事件発生位置をマーキングするステップを実行させ、
前記コンピュータに、各ジャーナリストが前記ニュース事件発生位置に到達するのに要する最短時間を計算するステップを実行させ、
前記コンピュータに、各ジャーナリストが前記ニュース事件発生位置に到達するのに要する最短時間と、各ジャーナリストの状態情報とに基づいて、待機状態であり前記ニュース事件発生位置に到達するのに要する最短時間が最も短いジャーナリストに、派遣任務と前記ニュース事件に関する手掛りとを送信するステップを実行させ、
各ジャーナリストが前記ニュース事件発生位置に到達するのに要する最短時間と、前記通信装置によってフィードバックされた各ジャーナリストの状態情報とに基づいて、待機状態であり前記ニュース事件発生位置に到達するのに要する最短時間が最も短いジャーナリストに、派遣任務と前記ニュース事件に関する手掛りとを送信する前記ステップは、
派遣要求を一人のジャーナリストに、各ジャーナリストが前記ニュース事件発生位置に到達するのに要する最短時間が最も短いジャーナリストから最も長いジャーナリストまでの順序で、順次送信するステップと、
前記通信装置によってフィードバックされたジャーナリストの状態情報に基づいて、前記派遣任務と前記ニュース事件に関する手掛りとを、前記ジャーナリストに送信するか否か決定するステップとを具体的に含み、
前記通信装置によってフィードバックされたジャーナリストの状態情報が、前記ジャーナリストが待機状態であることを示す場合、前記派遣任務と前記ニュース事件に関する手掛りとを前記ジャーナリストに送信し、
前記通信装置によってフィードバックされたジャーナリストの状態情報が、前記ジャーナリストが多忙状態であることを示す場合、または、前記ジャーナリストから状態情報がフィードバックされない場合、前記派遣要求を、前記順序に従って次のジャーナリストに、前記ニュース事件発生位置に到達するのに要する最短時間が、待機状態のジャーナリストの中で最も短いジャーナリストが決定されるまで、順次送信するとともに、前記決定されたジャーナリストに、前記派遣任務と前記ニュース事件に関する手掛りとを送信することを特徴とする、プログラム。
【発明の詳細な説明】
【技術分野】
【０００１】
発明の分野
本発明は、派遣システムおよび方法に関し、具体的にはジャーナリストの派遣に応用される派遣システムおよび方法に関する。
【背景技術】
【０００２】
発明の背景
現在、新聞業界において、取材記者の派遣は主として社会部の部長の手作業による派遣によって完了する。主な派遣手続は次の通りである。まず、社会部の部長は、最新ニュース事件の手掛りを、さまざまな情報ルートを通じて知る。次に、社会部の部長は、各ジャーナリストの現在位置と労働状態を電話で把握する。さらに、最新ニュース事件を待機状態の一人のジャーナリストに割当てる。加えて、上記最新ニュース事件の手掛りをこのジャーナリストに送る。最後に、ジャーナリストは、上記手掛りに従ってインタビューを行ない、インタビュー完了後に社会部の部長にフィードバックする。
【０００３】
社会部の部長の手作業による派遣手続の間、この社会部の部長の仕事の負担は大きく、最新ニュース事件に関するインタビューのためのジャーナリスト派遣は正確でなく、最新ニュース事件のインタビュー効率は低下する。
【発明の概要】
【課題を解決するための手段】
【０００４】
発明の概要
本発明は、ジャーナリスト派遣の自動化およびインタビュー効率の向上のために使用される派遣システムおよび方法を提供する。
【０００５】
上記目的を果たすために、本発明は以下の技術的解決策を採用する。
派遣システムは、マップ測位装置と、派遣装置と、通信装置とを含み、マップ測位装置は、すべてのジャーナリストの位置を測定するため、各ジャーナリストの位置およびニュース事件発生位置をマーキングするため、および各ジャーナリストがニュース事件発生位置に到達するのに要する最短時間を計算するために使用され、派遣装置は、各ジャーナリストがニュース事件発生位置に到達するのに要する最短時間と、各ジャーナリストの状態情報とに基づいて、ニュース事件発生位置に到達するのに要する最短時間が、待機状態のジャーナリストの中で最も短いジャーナリストを決定するとともに、派遣任務とニュース事件に関する手掛りとを、決定されたジャーナリストの通信装置に送信するために使用され、通信装置は、ジャーナリストの状態情報を派遣装置にフィードバックするとともに、派遣装置が送信した派遣任務とニュース事件に関する手掛りとを受信するために使用される。
【０００６】
好ましくは、派遣装置は具体的に、
派遣要求を一人のジャーナリストの通信装置に、各ジャーナリストがニュース事件発生位置に到達するのに要する最短時間が最も短いジャーナリストから最も長いジャーナリストまでの順序で、順次送信するとともに、ジャーナリストの通信装置によってフィードバックされた状態情報に基づいて、派遣任務とニュース事件に関する手掛りとを、ジャーナリストに送信するか否か決定するために使用され、
ジャーナリストの通信装置によってフィードバックされた状態情報が、ジャーナリストが待機状態であることを示す場合、派遣任務とニュース事件に関する手掛りとをジャーナリストに送信し、
ジャーナリストの通信装置によってフィードバックされた状態情報が、ジャーナリストが多忙状態であることを示す場合、または、ジャーナリストの通信装置から状態情報がフィードバックされない場合、派遣要求を、上記順序に従って次のジャーナリストの通信装置に、ニュース事件発生位置に到達するのに要する最短時間が、待機状態のジャーナリストの中で最も短いジャーナリストが決定されるまで、順次送信するとともに、決定されたジャーナリストに、派遣任務とニュース事件に関する手掛りとを送信する。
【０００７】
好ましくは、マップ測位装置は、測位部と、マップ部と、計算部とを含み、
測位部は、すべてのジャーナリストの位置を測定するために使用され、
マップ部は、各ジャーナリストの位置およびニュース事件発生位置をマップ上にマーキングするために使用され、
計算部は、各ジャーナリストがニュース事件発生位置に到達するのに要する最短時間を計算するために使用される。
【０００８】
好ましくは、派遣システムはニュース手掛り収集装置をさらに含み、ニュース手掛り収集装置は、ニュース事件に関する手掛りを取得するために使用され、ニュース事件に関する手掛りは、ニュース事件の、タイトルと、内容と、ニュース事件発生位置と、連絡先とを含む。
【０００９】
好ましくは、派遣システムは表示装置をさらに含み、表示装置は、マップ測位装置および／または派遣装置から表示装置に送信された出力結果を表示するために使用される。
【００１０】
好ましくは、マップ測位装置から表示装置に送信された出力結果は、各ジャーナリストの位置と、ニュース事件発生位置と、各ジャーナリストがニュース事件発生位置に到達するのに要する最短時間とを含む。
【００１１】
派遣装置から表示装置に送信された出力結果は、派遣任務を受諾したジャーナリストの名前と、ジャーナリストの通信装置に送信されたニュース事件に関する手掛りとを含む。
【００１２】
派遣方法は、すべてのジャーナリストの位置を測定し、各ジャーナリストの位置およびニュース事件発生位置をマーキングするステップと、各ジャーナリストがニュース事件発生位置に到達するのに要する最短時間を計算するステップと、各ジャーナリストがニュース事件発生位置に到達するのに要する最短時間と、各ジャーナリストの状態情報とに基づいて、待機状態でありニュース事件発生位置に到達するのに要する最短時間が最も短いジャーナリストに、派遣任務とニュース事件に関する手掛りとを送信するステップとを含む。
【００１３】
好ましくは、この方法は、すべてのジャーナリストの位置を測定するステップの前に、ニュース事件に関する手掛りを取得するステップをさらに含み、ニュース事件に関する手掛りは、ニュース事件の、タイトルと、内容と、ニュース事件発生位置と、連絡先とを含む。
【００１４】
好ましくは、この方法は、各ジャーナリストの位置と、ニュース事件発生位置と、各ジャーナリストがニュース事件発生位置に到達するのに要する最短時間と、派遣任務を受諾したジャーナリストの名前と、ジャーナリストに送信されたニュース事件に関する手掛りとを表示するステップをさらに含む。
【００１５】
好ましくは、各ジャーナリストがニュース事件発生位置に到達するのに要する最短時間と、各ジャーナリストの状態情報とに基づいて、待機状態でありニュース事件発生位置に到達するのに要する最短時間が最も短いジャーナリストに、派遣任務とニュース事件に関する手掛りとを送信するステップは、
派遣要求を一人のジャーナリストに、各ジャーナリストがニュース事件発生位置に到達するのに要する最短時間が最も短いジャーナリストから最も長いジャーナリストまでの順序で、順次送信するステップと、
ジャーナリストによってフィードバックされた状態情報に基づいて、派遣任務とニュース事件に関する手掛りとを、ジャーナリストに送信するか否か決定するステップとを具体的に含み、
ジャーナリストによってフィードバックされた状態情報が、ジャーナリストが待機状態であることを示す場合、派遣任務とニュース事件に関する手掛りとをジャーナリストに送信し、
ジャーナリストによってフィードバックされた状態情報が、ジャーナリストが多忙状態であることを示す場合、または、ジャーナリストから状態情報がフィードバックされない場合、派遣要求を、上記順序に従って次のジャーナリストに、ニュース事件発生位置に到達するのに要する最短時間が、待機状態のジャーナリストの中で最も短いジャーナリストが決定されるまで、順次送信するとともに、決定されたジャーナリストに、派遣任務とニュース事件に関する手掛りとを送信する。
【００１６】
本発明において提供される派遣システムおよび方法は、ニュース事件に関する手掛りの取得後、すべてのジャーナリストの位置を測定し、ニュース事件発生位置および各ジャーナリストの位置をマーキングし、各ジャーナリストがニュース事件発生位置に到達するのに要する最短時間を計算し、待機状態であり費やす時間が最短のジャーナリスト（すなわちニュース事件発生位置に到達するのに要する最短時間が待機状態のジャーナリストの中で最も短いジャーナリスト）の通信装置に、派遣任務を送信する。これにより、ジャーナリストの派遣が自動化され、最新ニュース事件に関するインタビューを行なうためのジャーナリスト派遣の精度が増し、インタビュー効率が改善される。
【００１７】
本発明の実施の形態または先行技術の技術的解決策をより明確に示すために、以下において、実施の形態または先行技術の説明に使用する必要がある図面について簡単に紹介する。以下の説明における図面が本発明のいくつかの実施の形態にすぎないことは明らかである。また、当業者は、創意工夫しなくともこれらの図面に基づいて他の図面を取得できる。
【図面の簡単な説明】
【００１８】
【図１】本発明の実施の形態において提供される派遣システムの概略構成図である。
【図２】図１に示されるマップ測位装置の概略構成図である。
【図３】本発明の実施の形態において提供される別の派遣システムの概略構成図である。
【図４】本発明の実施の形態において提供されるもう１つの派遣システムの概略構成図である。
【図５】本発明の実施の形態において提供される派遣方法の概略図である。
【図６】本発明の実施の形態において提供される別の派遣方法の概略図である。
【発明を実施するための形態】
【００１９】
実施の形態の詳細な説明
以下、本発明の実施の形態における技術的解決策について、本発明の実施の形態の図面と関連付けながら明確にかつ詳細に説明する。説明しようとしている実施の形態が、本発明の実施の形態のすべてではなく本発明の実施の形態の一部にすぎないことは、明らかである。当業者が本発明の実施の形態に基づいて創意工夫なしで取得する他の実施の形態も、本発明の範囲に含まれる。
【００２０】
図１に示されるように、本発明の実施の形態において、マップ測位装置１０１と、派遣装置１０２と、通信装置１０３とを含む派遣システムが提供される。
【００２１】
マップ測位装置１０１は、すべてのジャーナリストの位置を測定するため、各ジャーナリストの位置およびニュース事件発生位置をマーキングするため、各ジャーナリストがニュース事件発生位置に到達するのに要する最短時間を計算するため、各ジャーナリストがニュース事件発生位置に到達するのに要する最短時間を派遣装置に送信するために、使用される。
【００２２】
具体的には、ニュース事件に関する手掛りの取得後、マップ測位装置は、すべてのジャーナリストの位置を測定してマーキングし、ニュース事件発生位置をマーキングし、各ジャーナリストがニュース事件発生位置に到達するのに要する最短時間を計算する。この最短時間は、各ジャーナリストが、ニュース事件発生位置に、最適経路を経て到達するのに費やす時間を意味する。
【００２３】
マップ測位装置１０１は、図２に示されるように、測位部１０１１と、マップ部１０１２と、計算部１０１３とを含む。
【００２４】
測位部１０１１は、すべてのジャーナリストの位置を測定するとともに、すべてのジャーナリストの位置をマップ部１０１２に送信するために、使用される。
【００２５】
具体的には、ニュース事件に関する手掛りの取得後、すべてのジャーナリストの位置が測位部１０１１を通じて測定される。測位部は、ＧＰＳ衛星測位機能が組込まれたスマートフォンまたはコンピュータを含み得る。ＧＰＳ衛星測位機能が組込まれたスマートフォンは、通常のスマートフォンに既存の携帯電話測位ソフトウェアをインストールすることによって実現できる。たとえば、各ジャーナリストが携行する携帯電話の位置を、各ジャーナリストが携行する携帯電話の番号が、ＧＰＳ衛星測位機能が組込まれたスマートフォンに入力されたときに、測定してもよく、そうすることによって、すべてのジャーナリストの位置を測定できる。
【００２６】
マップ部１０１２は、測位部１０１１によって送信されたすべてのジャーナリストの位置に基づいて、各ジャーナリストの位置およびニュース事件発生位置をマップ上にマーキングし、各ジャーナリストの位置およびニュース事件発生位置がマーキングされたマップを計算部１０１３に送信するために、使用される。
【００２７】
具体的には、マップ部１０１２は、測位部１０１１によるすべてのジャーナリストの位置の測定後、各ジャーナリストの位置およびニュース事件発生位置をマップ上にマーキングする。マップ部は、ネットワークマップ検索モジュールおよび対応するＡＰＩ（アプリケーションプログラムインターフェイス）が組込まれたスマートフォンまたはコンピュータによって実現されてもよい。スマートフォンまたはコンピュータは、ネットワークマップ検索モジュールに対応するＡＰＩをコールすることによって、測位部によって送信された各ジャーナリストの位置およびニュース事件発生位置を、ネットワークマップ検索モジュール上にマーキングする。ネットワークマップ検索モジュールは、利用可能なＢａｉｄｕマップ、Ｇｏｏｇｌｅマップ、またはＳｏｇｏｕマップ等によって実現されてもよい。
【００２８】
計算部１０１３は、各ジャーナリストの位置およびニュース事件発生位置がマーキングされマップ部１０１２によって送信されたマップに基づいて、各ジャーナリストがニュース事件発生位置に到達するのに要する最短時間を計算し、各ジャーナリストがニュース事件発生位置に到達するのに要する最短時間を派遣装置１０２に送信するために、使用される。計算部は、計算機能が組込まれたスマートフォンまたはコンピュータによって実現されてもよい。
【００２９】
具体的には、計算部１０１３は、マップ部１０１２によって各ジャーナリストの位置およびニュース事件発生位置がマップ上にマーキングされた後、各ジャーナリストの位置およびニュース事件発生位置がマーキングされたマップに基づいて、各ジャーナリストがニュース事件発生位置に到達するのに要する最短時間を計算する。
【００３０】
なお、マップ測位装置１０１の測位部１０１１、マップ部１０１２、および計算部１０１３として、ＧＰＳ衛星測位機能、ネットワークマップ検索モジュールおよび対応するＡＰＩ、ならびに計算機能が組込まれている限り、それぞれ３つのスマートフォンもしくは３つのコンピュータ、または、１つのスマートフォンもしくは１つのコンピュータを使用してもよい。
【００３１】
派遣装置１０２は、マップ測位装置１０１の計算部１０１３によって送信された、各ジャーナリストがニュース事件発生位置に到達するのに要する最短時間と、各ジャーナリストの状態情報とに基づいて、待機状態のジャーナリストの中でニュース事件発生位置に最短時間で到達できるジャーナリスト（費やす時間が最短のジャーナリスト）を決定し、派遣任務（すなわちニュース事件に関するインタビューを行なうためにジャーナリストを派遣する）と、ニュース事件のタイトル、内容、ニュース事件発生位置、および連絡先等の、ニュース事件に関する手掛りとを、ジャーナリストの通信装置に送信するために、使用される。派遣装置は利用可能なスマートフォンまたはコンピュータによって実現されてもよい。
【００３２】
具体的には、派遣装置１０２は、派遣要求（派遣要求は、電話、ショートメッセージ、またはポップアップによる注意喚起を用いることによって、ジャーナリストが新たなインタビュー任務に気付くようにしてもよい）を、一人のジャーナリストの通信装置に、各ジャーナリストがニュース事件発生位置に到達するのに要する最短時間が最も短いジャーナリストから最も長いジャーナリストまでの順序で、順次送信するとともに、ジャーナリストの通信装置によってフィードバックされた状態情報に基づいて、派遣任務とニュース事件に関する手掛りとをジャーナリストに送信するか否か決定する。ジャーナリストの通信装置によってフィードバックされた状態情報が、ジャーナリストが待機状態であることを示す場合、派遣任務とニュース事件に関する手掛りとがこのジャーナリストに送信される。ジャーナリストの通信装置によってフィードバックされた状態情報が、ジャーナリストが多忙状態であることを示す場合、または、ジャーナリストの通信装置から状態情報がフィードバックされない場合、派遣要求が、上記順序に従って次のジャーナリストの通信装置に、ニュース事件発生位置に到達するのに要する最短時間が、待機状態のジャーナリストの中で最も短いジャーナリストが決定されるまで、順次送信されるとともに、このジャーナリストの通信装置に、派遣任務とニュース事件に関する手掛りとが送信される。
【００３３】
たとえば、マップ測位装置１０１は、ジャーナリストＡ、ジャーナリストＢ、およびジャーナリストＣがニュース事件発生位置に到達するのに要する最短時間が、それぞれ１０分、１５分、および２０分であると計算する。派遣装置１０２は、マップ測位装置１０１によって計算された、各ジャーナリストがニュース事件Ｆ発生位置に到達するのに要する最短時間に基づき、ジャーナリストＡがニュース事件発生位置に到達するのに要する最短時間が、最短であることを知る。まず、派遣要求が派遣装置１０２によってジャーナリストＡの通信装置１０３に送信され、ジャーナリストＡは、この派遣要求を通信装置１０３を通じて受信する。ジャーナリストＡは、そのときにジャーナリストＡが多忙状態であれば、多忙状態であることを示す１つの状態情報を、通信装置１０３を通して派遣装置１０２に送信することによって、派遣要求を拒否する。派遣装置１０２が、ジャーナリストＡから送信された多忙状態を示す情報を受信した後、派遣要求は次に、ニュース事件Ｆ発生位置に到達するのに要する最短時間が２番目に短いジャーナリストＢに送信される。または、ジャーナリストＡが派遣装置１０２の派遣要求に応答せず、あるしきい値時間後に派遣装置１０２がジャーナリストＡからフィードバック情報を受信していなければ、ジャーナリストＡは、派遣装置１０２によって、多忙状態であると判断され、派遣要求は、派遣装置１０２によって、ニュース事件Ｆ発生位置に到達するのに費やす時間が２番目に短いジャーナリストＢに送信される。
【００３４】
ジャーナリストＡが待機状態であれば、ジャーナリストＡが待機状態であることを示す情報が、通信装置１０３を通して派遣装置１０２に送信されて、派遣要求が受諾される。ニュース事件Ｆの手掛りは、ジャーナリストＡから送信された待機状態を示す情報を派遣装置１０２が受信した後に、ジャーナリストＡの通信装置に送信される。
【００３５】
ここで説明する必要があるのは、上記しきい値時間は、たとえば５分または８分等の、派遣装置において設定される時間の値でよいということである。本発明においてこのしきい値時間は限定されない。
【００３６】
通信装置１０３は、（通信装置１０３を携行している）ジャーナリストの状態情報を派遣装置にフィードバックするため、かつ、派遣装置が送信した派遣任務とニュース事件に関する手掛りとを受信するために使用される。通信装置は利用可能なスマートフォンによって実現されてもよい。通信装置は、ジャーナリストの状態情報を、派遣装置に、電話、ショートメッセージ、またはポップアップによる注意喚起を通じて、フィードバックしてもよい。
【００３７】
図３に示されるように、派遣システムはニュース手掛り収集装置１０４をさらに含み、ニュース手掛り収集装置は、ニュース事件に関する手掛りを取得し、取得したニュース事件に関する手掛りを派遣装置に送信するとともに、取得したニュース事件の手掛りに含まれるニュース事件発生位置をマップ測位装置に送信するために、使用される。
【００３８】
具体的には、ニュース手掛り収集装置１０４は、さまざまなルートを通じてニュース事件に関する手掛りを取得してもよく、この手掛りは、ニュース事件の、タイトル、内容、ニュース事件発生位置、および連絡先等を含む。上記ルートは、ショートメッセージプラットフォーム、電話、ウェブサイト等であってもよく、これは本発明では限定されない。
【００３９】
図４に示されるように、派遣システムは表示装置１０５をさらに含み、表示装置は、マップ測位装置および／または派遣装置にそれぞれ接続され、マップ測位装置および／または派遣装置から表示装置に送信された出力結果を表示するために使用される。
【００４０】
マップ測位装置から表示装置に送信された出力結果は、各ジャーナリストの位置、ニュース事件発生位置、および各ジャーナリストがニュース事件発生位置に到達するのに要する最短時間である。派遣装置から表示装置に送信された出力結果は、派遣任務を受諾したジャーナリストの名前、およびジャーナリストの通信装置に送信されたニュース事件に関する手掛りである。
【００４１】
このように、マップ測位装置１０１の出力結果を表示装置１０５によって表示してもよい、すなわち、各ジャーナリストの位置、ニュース事件発生位置、および各ジャーナリストがニュース事件発生位置に到達するのに要する最短時間が、表示される。派遣装置１０２の出力結果も表示装置１０５によって表示してもよい、すなわち、派遣任務を受諾したジャーナリストの名前、および、タイトル、内容、ニュース事件発生位置、および連絡先等の、ジャーナリストの通信装置に送信されたニュース事件に関する手掛りが、表示される。
【００４２】
本発明の実施の形態において提供される上記派遣システムでは、ニュース手掛り収集装置がニュース事件に関する手掛りを取得すると、その後、マップ測位装置は、すべてのジャーナリストの位置を測定し、ニュース事件発生位置および各ジャーナリストの位置をマーキングし、各ジャーナリストがニュース事件発生位置に到達するのに要する最短時間を計算し、派遣装置は、派遣任務とニュース事件に関する手掛りとを、待機状態であり費やす時間が最短のジャーナリスト（すなわちニュース事件発生位置に到達するのに要する最短時間が、待機状態のジャーナリストの中で最も短いジャーナリスト）の通信装置に、送信する。このようにして、ジャーナリストの派遣が自動化され、最新ニュース事件に関するインタビューを行なうためのジャーナリスト派遣の精度が改善され、インタビュー効率が増す。
【００４３】
図５に示されるように、本発明の実施の形態における派遣方法も提供される。この方法は、すべてのジャーナリストの位置を測定し、各ジャーナリストの位置およびニュース事件発生位置をマーキングするステップ５０１を含む。
【００４４】
具体的には、ニュース事件に関する手掛りの取得後、各ジャーナリストの位置を測定してマーキングし、ニュース事件発生位置をマーキングする。
【００４５】
この方法はまた、各ジャーナリストがニュース事件発生位置に到達するのに要する最短時間を計算するステップ５０２を含む。
【００４６】
具体的には、各ジャーナリストがニュース事件発生位置に到達するのに要する最短時間を計算し、この最短時間は、各ジャーナリストが、ニュース事件発生位置に、最適経路を経て到達するのに費やす時間を意味する。
【００４７】
この方法はまた、各ジャーナリストがニュース事件発生位置に到達するのに要する最短時間と、各ジャーナリストの状態情報とに基づいて、待機状態でありニュース事件発生位置に到達するのに要する最短時間が最も短いジャーナリストの通信装置に、派遣任務と、ニュース事件のタイトル、内容、ニュース事件発生位置、および連絡先等の、ニュース事件に関する手掛りとを、送信するステップ５０３を含む。
【００４８】
具体的には、派遣要求を、一人のジャーナリストの通信装置に、各ジャーナリストがニュース事件発生位置に到達するのに要する最短時間が最も短いジャーナリストから最も長いジャーナリストまでの順序で、順次送信し、ジャーナリストの通信装置によってフィードバックされた状態情報に基づいて、派遣任務とニュース事件に関する手掛りとをジャーナリストに送信するか否か決定する。
【００４９】
ジャーナリストの通信装置によってフィードバックされた状態情報が、ジャーナリストが待機状態であることを示す場合、派遣任務とニュース事件に関する手掛りとをジャーナリストに送信する。
【００５０】
ジャーナリストの通信装置によってフィードバックされた状態情報が、ジャーナリストが多忙状態であることを示す場合、または、通信装置から状態情報がフィードバックされない場合、派遣要求を、上記順序に従って次のジャーナリストの通信装置に、ニュース事件発生位置に到達するのに要する最短時間が、待機状態のジャーナリストの中で最も短いジャーナリストが決定されるまで、順次送信するとともに、このジャーナリストの通信装置に、派遣任務とニュース事件に関する手掛りとを送信する。
【００５１】
図６に示されるように、派遣方法は、ステップ５０１の前に、ニュース事件の手掛りを取得するステップ５０４をさらに含む。
【００５２】
具体的には、ニュース事件に関する手掛り（ニュース事件の、タイトル、内容、ニュース事件発生位置、および連絡先等）は、さまざまなルートを通じて取得してもよい。上記さまざまなルートは、ショートメッセージプラットフォーム、電話、ウェブサイト等であってもよく、これは本発明では限定されない。
【００５３】
この方法は、ステップ５０３の後に、各ジャーナリストの位置と、ニュース事件発生位置と、各ジャーナリストがニュース事件発生位置に到達するのに要する最短時間と、派遣任務を受諾したジャーナリストの名前と、ジャーナリストに送信された、ニュース事件の、タイトル、内容、ニュース事件発生位置、および連絡先等の、ニュース事件に関する手掛りとを表示するステップ５０５をさらに含む。
【００５４】
本発明の実施の形態において提供される上記派遣方法では、ニュース事件に関する手掛りの取得後、すべてのジャーナリストの位置を測定し、ニュース事件発生位置および各ジャーナリストの位置をマーキングし、各ジャーナリストがニュース事件発生位置に到達するのに要する最短時間を計算し、派遣任務とニュース事件に関する手掛りとを、待機状態であり費やす時間が最短のジャーナリスト（すなわちニュース事件発生位置に到達するのに要する最短時間が、待機状態のジャーナリストの中で最も短いジャーナリスト）の通信装置に、送信する。このようにして、ジャーナリストの派遣が自動化され、最新ニュース事件に関するインタビューを行なうためのジャーナリスト派遣の精度が改善され、インタビュー効率が増す。
【００５５】
上記説明は本発明の特定の実施の形態にすぎないが、本発明の範囲はこれに限定されない。当該技術の当業者が本発明に開示される技術範囲の中で容易に想到するであろう変更または代替は、本発明の範囲に包含されるはずである。よって、本発明の範囲は特許請求の範囲によって定められることが意図されている。
【図１】
0005855747.tif 000002
【図２】
0005855747.tif 000003
【図３】
0005855747.tif 000004
【図４】
0005855747.tif 000005
【図５】
0005855747.tif 000006
【図６】
0005855747.tif 000007